(57)【要約】【課題】本発明は、電源オン時や省エネルギーモードからの復帰時等の立ち上がり時の立ち上がり処理時間を適宜調整する画像読取装置に関する。【解決手段】画像読取装置１は、原稿からの反射光をＣＣＤ２で光電変換してＳ／Ｈ回路３でサンプルホールドし、ＡＭＰ４で増幅した後、ＡＤＣ５でデジタル変換し、画像処理部６で必要な画像処理して原稿の画像を読み取るが、少なくとも電源オン時等の所定の原稿読取前に実行する所定の立ち上げ処理として、ＡＭＰ４のゲイン調整を含む予め設定されている一連の基本立ち上げ処理を行う通常立ち上げ処理モードと、当該通常立ち上げ処理モードからある４のゲイン調整を省いて処理時間を短縮させた立ち上げ処理を行う短縮立ち上げ処理モードとを、適宜選択して処理する。【選択図】          図１
2007282029.tif 000002
【特許請求の範囲】
【請求項１】
光源から原稿に光を照射して当該原稿からの反射光を光電変換手段で光電変換して当該原稿の画像を読み取るとともに、少なくとも電源オン時等の所定の原稿読取前に所定の立ち上げ処理を実行する画像読取装置において、前記立ち上げ処理として、予め設定されている一連の基本立ち上げ処理を行う通常立ち上げ処理モードと、当該通常立ち上げ処理モードよりも処理時間を短縮させた立ち上げ処理を行う短縮立ち上げ処理モードとを有し、前記立ち上げ処理として、当該通常立ち上げ処理モードと当該短縮立ち上げ処理モードとを適宜選択して実行することを特徴とする画像読取装置。
【請求項２】
前記画像読取装置は、前記通常立ち上げ処理モードと前記短縮立ち上げ処理モードを選択する選択手段を備えており、当該選択手段で選択された立ち上げ処理モードを実行することを特徴とする請求項１記載の画像読取装置。
【請求項３】
前記画像読取装置は、前記前回の立ち上げ処理実行時の前記光源温度と今回の立ち上げ処理時の前記光源温度との温度差に応じて、前記通常立ち上げ処理モードと前記短縮立ち上げ処理モードのいずれかを選択して、当該選択した立ち上げ処理モードを実行することを特徴とする請求項１記載の画像読取装置。
【請求項４】
前記画像読取装置は、前記前回の立ち上げ処理実行から今回の立ち上げ処理までの経過時間に応じて、前記通常立ち上げ処理モードと前記短縮立ち上げ処理モードのいずれかを選択して、当該選択した立ち上げ処理モードを実行することを特徴とする請求項１記載の画像読取装置。
【請求項５】
前記画像読取装置は、前記原稿のセット位置へのセット状況を検出し、当該原稿のセット状況に応じて、前記通常立ち上げ処理モードと前記短縮立ち上げ処理モードのいずれかを選択して、当該選択した立ち上げ処理モードを実行することを特徴とする請求項１記載の画像読取装置。
【発明の詳細な説明】
【技術分野】
【０００１】
本発明は、画像読取装置に関し、詳細には、電源オン時や省エネルギーモードからの復帰時等の立ち上がり時の立ち上がり処理時間を適宜調整する画像読取装置に関する。
【背景技術】
【０００２】
電源からの読取光を原稿に照射して、当該原稿からの反射光をＣＣＤ（Charge Coupled Device ）等の光電変換素子で光電変換して、増幅器で所定のゲインで増幅した後に、アナログの読取信号をＡ／Ｄ（アナログ／デジタル）変換器でデジタル変換することで当該原稿の画像を読み取る画像読取装置においては、電源オン時や省エネルギーモードからの復帰時（以下、省エネルギー復帰時という。）に原稿の読取前に、所定の立ち上がり処理を行うが、この立ち上がり処理において、従来、一般的に、所定の白基準板を読み取って当該白基準板を読み取った白レベルデータが、所定の目標白基準レベル値になるようにゲイン調整する白レベル調整を行っている。また、この白レベル調整では、Ａ／Ｄ変換器のダイナミックレンジを有効に使用できるように、ＣＣＤ出力を増幅している。
【０００３】
この白レベル調整に用いられる目標白基準レベル値は、読取時の周囲温度の影響等による光源光量のばらつき等を考慮して設定されており、読取時に光源の光量が周囲温度等の影響を受けてばらついた場合にも、例えば、８ビット時には、画像白デ−タ（デジタル値）が、２５５を超えないように設定されている。
【０００４】
そして、従来の画像読取装置においては、電源オン時及び省エネルギー復帰時の立ち上がり処理時には、常に上記白レベル調整を行っている。
【０００５】
ところが、この白レベル調整は、一定の時間を必要とし、画像読取装置で原稿の読み取りを行わせるために、ユーザが画像読取装置の位置まできて電源を投入したり、省エネルギー復帰ボタンを押下すると、画像読取装置は、電源オン時及び省エネルギー復帰時には、必ず白レベル調整処理を実行する設定となっているため、ユーザが急いで読み取りを行いたい場合にも、白レベル調整を実施している間、待たされることとなる。
【０００６】
そこで、従来、このゲイン調整、特に、シェーディング補正調整における時間を短縮するために、立ち上がり時に、適宜、シェーディング補正のゴミ位置情報を更新する制御を行うことで、速やかな立ち上がりを図った技術が提案されている（特許文献１参照）。
【０００７】
【特許文献１】特開２００２−３６８９６４号公報
【発明の開示】
【発明が解決しようとする課題】
【０００８】
しかしながら、上記従来技術にあっては、ゴミ位置情報を更新するのみであり、ゲイン調整（白レベル調整）については、実行する設定となっているため、立ち上がり処理時間の短縮が不十分であり、改良の必要があった。
【０００９】
そこで、本発明は、電源オン時や省エネルギー復帰時の立ち上がり時間を利用状況に応じてより一層短縮して、利用性を向上させることのできる画像読取装置を提供することを目的としている。
【課題を解決するための手段】
【００１０】
請求項１記載の発明の画像読取装置は、光源から原稿に光を照射して当該原稿からの反射光を光電変換手段で光電変換して当該原稿の画像を読み取るとともに、少なくとも電源オン時等の所定の原稿読取前に所定の立ち上げ処理を実行する画像読取装置において、前記立ち上げ処理として、予め設定されている一連の基本立ち上げ処理を行う通常立ち上げ処理モードと、当該通常立ち上げ処理モードよりも処理時間を短縮させた立ち上げ処理を行う短縮立ち上げ処理モードとを有し、前記立ち上げ処理として、当該通常立ち上げ処理モードと当該短縮立ち上げ処理モードとを適宜選択して実行することにより、上記目的を達成している。
【００１１】
この場合、例えば、請求項２に記載するように、前記画像読取装置は、前記通常立ち上げ処理モードと前記短縮立ち上げ処理モードを選択する選択手段を備えており、当該選択手段で選択された立ち上げ処理モードを実行するものであってもよい。
【００１２】
また、例えば、請求項３に記載するように、前記画像読取装置は、前記前回の立ち上げ処理実行時の前記光源温度と今回の立ち上げ処理時の前記光源温度との温度差に応じて、前記通常立ち上げ処理モードと前記短縮立ち上げ処理モードのいずれかを選択して、当該選択した立ち上げ処理モードを実行するものであってもよい。
【００１３】
さらに、例えば、請求項４に記載するように、前記画像読取装置は、前記前回の立ち上げ処理実行から今回の立ち上げ処理までの経過時間に応じて、前記通常立ち上げ処理モードと前記短縮立ち上げ処理モードのいずれかを選択して、当該選択した立ち上げ処理モードを実行するものであってもよい。
【００１４】
また、例えば、請求項５に記載するように、前記画像読取装置は、前記原稿のセット位置へのセット状況を検出し、当該原稿のセット状況に応じて、前記通常立ち上げ処理モードと前記短縮立ち上げ処理モードのいずれかを選択して、当該選択した立ち上げ処理モードを実行するものであってもよい。
【発明の効果】
【００１５】
本発明の画像読取装置によれば、少なくとも電源オン時等の所定の原稿読取前に実行する所定の立ち上げ処理として、予め設定されている一連の基本立ち上げ処理を行う通常立ち上げ処理モードと、当該通常立ち上げ処理モードよりも処理時間を短縮させた立ち上げ処理を行う短縮立ち上げ処理モードとを、適宜選択して実行するので、電源オン時や省エネルギー復帰時等の立ち上がり時間を利用状況等に応じてより一層短縮することができ、利用性を向上させることができる。
【発明を実施するための最良の形態】
【００１６】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１７】
図１〜図５は、本発明の画像読取装置の一実施例を示す図であり、図１は、本発明の画像読取装置の一実施例を適用した画像読取装置１のブロック構成図である。
【００１８】
図１において、画像読取装置１は、ＣＣＤ２、Ｓ／Ｈ（サンプルホールド）回路３、ＡＭＰ（増幅器）４、ＡＤＣ（アナログ／デジタルコンバータ）５及び画像処理部６等を備えており、一般的に、ＣＣＤ２からＡＤＣ５までの各部品は、図示しないＳＢＵ（センサボードユニット）に搭載されている。このＳＢＵには、一般的に、ＣＣＤ２を駆動するためのパルスを発生させるＡＳＩＣ（Application Specific Integrated Circuit）やＣＣＤ２からのアナログ信号を処理するＡＳＩＣが搭載されている。
【００１９】
ＣＣＤ２は、ランプ（光源）から原稿に照射されて当該原稿で反射された反射光を光電変換してアナログの画像データをＳ／Ｈ回路３に出力し、Ｓ／Ｈ回路３は、ＣＣＤ２からのアナログの画像データをサンプルホールドしてＡＭＰ４に出力する。
【００２０】
ＡＭＰ４は、Ｓ／Ｈ回路３のサンプルホールドしたアナログの画像データを所定のゲインで増幅して、ＡＤＣ５に出力し、ＡＤＣ５は、ＡＭＰ４で増幅された画像データをデジタル変換してデジタルの画像データを画像処理部６に出力する。
【００２１】
画像処理部６は、ＡＤＣ５でデジタル変換された画像データに対してγ補正等の種々の画像処理を行う。
【００２２】
また、画像読取装置１は、図２に示すように、その操作部１０に、選択手段としての通常用電源スイッチ１１と短縮用電源スイッチ１２が設けられており、通常用電源スイッチ１１は、電源オン時に通常の手順の立ち上がり処理を指定した状態で電源をオンにするスイッチであり、短縮用電源スイッチ１２は、通常の立ち上がり処理手順からゲイン調整処理を簡略化または削除した処理を行って通常立ち上がり処理よりも短時間で立ち上がる立ち上がり処理を指定した状態で電源をオンにするスイッチである。
【００２３】
次に、本実施例の作用を説明する。画像読取装置１は、立ち上がり処理を、ユーザの選択に応じて、通常立ち上がり処理と短縮立ち上がり処理を実行する。
【００２４】
すなわち、画像読取装置１は、待機状態が所定時間経過すると、光源を含む主要各部への電源の供給を停止して消費電力を削減する省エネルギーモードを有しており、この省エネルギーモードからの復帰時及び電源オン時に、図３に示すような所定の立ち上がり処理を実行して、適切な原稿の読み取りを行えるようにしている。
【００２５】
すなわち、画像読取装置１は、図３に示すように、電源オンまたは省エネルギー復帰により上記ＳＢＵの電源オンを確認すると（ステップＳ１０１）、ＡＳＩＣのレジスタの初期設定を行い（ステップＳ１０２）、ランプを点灯させた後（ステップＳ１０３）、当該ランプを搭載するキャリッジをホームポジションに移動させるキャリッジホーミング処理を行う（ステップＳ１０４）。
【００２６】
画像読取装置１は、キャリッジをホームポジションから白基準板の原稿セット位置に移動させ（ステップＳ１０５）、黒レベル調整及び白レベル調整を実行する（ステップＳ１０６、Ｓ１０７）。この黒レベル調整は、ＳＢＵから出力される黒レベル出力値が予め設定されている目標黒レベル値になるようにアナログＡＳＩＣ内部でオフセットを調整するものである。また、白レベル調整は、白基準板の読取レベルが目標白基準レベル値になるようにゲイン値を調整するものである。
【００２７】
画像読取装置１は、白レベル調整を実施すると、キャリッジをホームポジションに移動させ（ステップＳ１０８）、ランプを消灯させて、立ち上がり処理を終了する（ステップＳ１０９）。
【００２８】
そして、画像読取装置１は、上記白レベル調整処理を図４に示すように実行する。すなわち、画像読取装置１は、白レベル調整処理に入ると、まず、ＡＭＰ４に基準ゲイン値を設定し（ステップＳ２０１）、白基準板の読み取りを行って、当該白基準板の読取データを取得する（ステップＳ２０２）。
【００２９】
画像読取装置１は、白基準板を読み取ると、当該読み取った白基準板データをＳ／Ｈ回路３でサンプルホールドして、ＡＭＰ４で当該基準ゲイン値で増幅し、ＡＤＣ５でデジタル変換した白基準板データ読取値が、予め設定されている目標白レベル値に対して所定の公差分の範囲内にあるかチェックする（ステップＳ２０３）。
【００３０】
画像読取装置１は、ステップＳ２０３で、白基準板データ読取値が目標白レベル値の所定公差分内にあるときには、ゲイン調整の必要がないと判断して、そのまま処理を終了する。
【００３１】
ステップＳ２０３で、白基準板データ読取値が目標白レベル値の所定公差分内にないときには、画像読取装置１は、ＡＭＰ４のゲイン設定値を算出して、当該算出したゲイン値をＡＭＰ４に設定し（ステップＳ２０４）、ゲイン値算出処理が予め設定されているエラー基準回数（図４では、２０回）以上になったかチェックする（ステップＳ２０５）。
【００３２】
ステップＳ２０５で、ゲイン値算出処理が予め設定されているエラー基準回数以上でないときには、画像読取装置１は、ステップＳ２０２に戻って、白基準板データの取得から上記同様に処理する（ステップＳ２０２〜Ｓ２０５）。この白基準板データの取得からの再処理の途中で、ステップＳ２０３において、白基準板データ読取値が目標白レベル値の所定公差分内に入ると、画像読取装置１は、白基準レベル調整が完了したとして、処理を終了する。
【００３３】
また、上記白基準板データの取得からの再処理の途中において、ステップＳ２０４で、ゲイン値算出処理が予め設定されているエラー基準回数以上になると、画像読取装置１は、エラーフラグを立てて、白レベル調整においてエラーが発生した旨のエラー表示等を行うエラー処理を行って、白レベル調整処理を終了する（ステップＳ２０６）。
【００３４】
そして、画像読取装置１は、この立ち上がり処理において、白レベル調整処理を実行する通常立ち上がり処理モードと白レベル調整処理を省略する短縮立ち上がり処理モードを有しており、上記通常用電源スイッチ１１がオン操作されると、上記立ち上がり処理において、白レベル調整処理を実行する通常立ち上がりモード処理を実行する。
【００３５】
また、画像読取装置１は、短縮用電源スイッチ１２がオン操作されると、上記立ち上がり処理において、白レベル調整処理を省略した短縮立ち上がりモード処理を実行する。
【００３６】
なお、図示しないが、画像読取装置１は、省エネルギーモードからの復帰を指示する復帰スイッチについても、通常用電源スイッチ１１と短縮用電源スイッチ１２と同様に、通常用復帰スイッチと短縮用復帰スイッチを備えていてもよく、この場合、通常用復帰スイッチがオン操作されると、省エネルギーモードからの復帰時の立ち上がり処理において、白レベル調整処理を実行する通常立ち上がりモード処理を実行し、短縮用復帰スイッチがオン操作されると、省エネルギーモードからの復帰時の立ち上がり処理において、白レベル調整処理を省略した短縮立ち上がりモード処理を実行する。
【００３７】
このように、本実施例の画像読取装置１は、少なくとも電源オン時等の所定の原稿読取前に実行する所定の立ち上げ処理として、白レベル調整処理を含む予め設定されている一連の基本立ち上げ処理を行う通常立ち上げ処理モードと、白レベル調整処理を省いて当該通常立ち上げ処理モードよりも処理時間を短縮させた立ち上げ処理を行う短縮立ち上げ処理モードとを、適宜選択して実行している。  
【００３８】
したがって、電源オン時や省エネルギー復帰時等の立ち上がり時間を利用状況等に応じてより一層短縮することができ、利用性を向上させることができる。
【００３９】
また、本実施例の画像読取装置１は、ユーザによる通常用電源スイッチ１１と短縮用電源スイッチ１２の選択操作、または、通常用復帰スイッチと短縮用復帰スイッチの選択操作に応じて、通常立ち上がりモード処理と短縮立ち上がり処理モードを切り換えて処理している。
【００４０】
したがって、画像読取装置１のユーザによる利用状況や利用形態に応じて通常立ち上がりモード処理と短縮立ち上がり処理モードを切り換えて実行することができ、利用性をより一層向上させることができる。
【００４１】
なお、上記説明では、ユーザによる通常用電源スイッチ１１と短縮用電源スイッチ１２の選択操作、または、通常用復帰スイッチと短縮用復帰スイッチの選択操作に応じて、通常立ち上がりモード処理と短縮立ち上がり処理モードを切り換えて処理しているが、通常立ち上がりモード処理と短縮立ち上がり処理モードの選択は、上記ユーザの操作によるものに限るものではなく、画像読取装置１が通常立ち上がりモード処理と短縮立ち上がり処理モードの選択を自動判別してもよい。
【００４２】
例えば、ランプ温度に基づいて通常立ち上がりモード処理と短縮立ち上がり処理モードを自動選択する。
【００４３】
すなわち、ランプの管面温度とランプ光量は、一般的に、図５に管面温度−光量特性を示すように、ランプの管面温度が高くなると、ランプ光量が下がり、管面温度が低いほど、ランプ光量が高くなる。したがって、多数部を連続読み取りを行った後等は、ランプの管面温度が高くなっており、光量が下がる。
【００４４】
すなわち、画像読取装置１は、長時間連続使用後に電源をオフ／オンし、再度、立ち上げ処理を行った場合、ランプの光量が下がっているため、ＡＭＰ４のゲイン値が前回調整結果と比較して、大きくなり、逆に、画像読取装置１を数秒間使用後に、電源をオフ／オンして、再度、立ち上がり処理を行った場合、ランプ光量はほとんど変化しないため、ＡＭＰ４のゲイン値は前回調整結果と比較してほとんど変わらない結果となる。すなわち、短い時間使用した後の電源オフ／オンでの立ち上げ処理での白レベル調整処理は、不要であることが多い。
【００４５】
そこで、画像読取装置１は、サーミスタ等の温度検出センサ（温度検出手段）でランプの管面温度を測定し、測定結果によって電源オンまたは省エネルギー復帰時の立ち上がり処理での白レベル調整処理の実行の要否を判別して、通常立ち上がりモード処理と短縮立ち上がりモード処理を選択的実行する。
【００４６】
このようにすると、電源オン時や省エネルギー復帰時等の立ち上がり時間を画像読取装置１の動作状況に応じて効率的にかつより一層短縮することができ、利用性を向上させることができる。
【００４７】
また、画像読取装置１は、前回白レベル調整処理を伴う立ち上がり処理の実行時刻からの経過時間を予め設定されている所定の基準時間と比較して、当該比較結果に基づいて、通常立ち上がりモード処理と短縮立ち上がりモード処理を選択的実行するようにしてもよい。この場合、画像読取装置１は、前回白レベル調整処理を伴う立ち上がり処理の実行時刻からの経過時間が、予め設定されている所定の基準時間よりも短いと、白レベル調整を実行しない短縮立ち上がりモード処理を実行し、当該経過時間が所定の基準時間よりも長い場合は、白レベル調整を実行する通常立ち上がりモード処理を実行する。
【００４８】
すなわち、前回白レベル調整処理を伴う立ち上がり処理の実行時刻からの経過時間が、予め設定されている所定の基準時間より短い場合には、ランプ管面温度や装置内温度も変化していない可能性が高いため、白レベル調整でのＡＭＰ４のゲイン設定値も変化は小さいと判断できるからである。
【００４９】
このようにすると、電源オン時や省エネルギー復帰時等の立ち上がり時間を画像読取装置１の動作状況に応じて効率的にかつより一層短縮することができ、利用性を向上させることができる。
【００５０】
さらに、画像読取装置１は、電源オン時または省エネルギー復帰時に、原稿が原稿セット位置、例えば、コンタクトガラス上にセットされているか否かに基づいて、通常立ち上がりモード処理と短縮立ち上がりモード処理を選択して実行するようにしてもよい。
【００５１】
すなわち、コンタクトガラス上等の原稿セット位置に原稿がセットされているということは、頻繁に画像読取装置１を使用しているか、画像読取装置１の前にユーザがいて、画像読取装置１を使用中である可能性が高く、原稿セット位置に原稿がセットされている場合に行う白レベル調整時で設定したゲイン値は、原稿セット位置に原稿がセットされる前の白レベル調整時に設定されたゲイン値とほぼ同じと判断することができ、あえて白レベル調整を行う必要がない。したがって、電源オン時または省エネルギー復帰時に、原稿セット位置に原稿がセットされている場合には、白レベル調整を省略する短縮立ち上がりモード処理を実行し、原稿がセットされていない場合には、白レベル調整を実行する通常立ち上がりモード処理を実行する。
【００５２】
このようにすると、ユーザの画像読取装置１の利用状況を適切に判断して、立ち上がり処理を選択することができ、良好な画像品質を維持しつつ、利用性を向上させることができる。
【００５３】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００５４】
光源から読取光を照射して当該原稿からの反射光を光電変換手段で光電変換して原稿の画像を読み取るとともに、電源オン時や省エネルギー復帰時に立ち上がり処理を実行する画像読取装置一般に適用することができる。
【図面の簡単な説明】
【００５５】
【図１】本発明の画像読取装置の一実施例を適用した画像読取装置のブロック構成図。
【図２】図１の画像読取装置の操作部の電源スイッチ部分の平面図。
【図３】図１の画像読取装置による立ち上がり処理を示すフローチャート。
【図４】図３の白レベル調整処理の詳細な処理を示すフローチャート。
【図５】図１の画像読取装置のランプの管面温度−光量特性図。
【符号の説明】
【００５６】
１  画像読取装置
２  ＣＣＤ
３  Ｓ／Ｈ回路
４  ＡＭＰ
５  ＡＤＣ
６  画像処理部
１０  操作部
１１  通常用電源スイッチ
１２  短縮用電源スイッチ
【図１】
2007282029.tif 000003
【図２】
2007282029.tif 000004
【図３】
2007282029.tif 000005
【図４】
2007282029.tif 000006
【図５】
2007282029.tif 000007